(57)【特許請求の範囲】
【請求項１】
足場枠への取付け手段を備えた支柱材に足場板を係止する係止用アームを取り付けた仮設足場用ブラケットにおいて、所定長さの棒状体を略コ字形状に折曲して足場板のクランプに掛け留めるクランプ留め金具を形成し、該クランプ留め金具の一端部を前記係止用アームの遊端部の外周部に係止用アームの軸方向と直交方向へ貫設した透孔に出没自在に嵌入すると共に、バネを介装してクランプ留め金具の他端部が前記係止用アーム内に没する方向に付勢し、更に前記係止用アームの遊端部の外周部に前記クランプ留め金具の他端部を没入させる透孔を穿設し、クランプ留め金具で足場板のクランプを掛け留めた状態で係止用アームを略垂直に跳ね上げたときに、足場板の自重がクランプ留め金具に垂直方向に作用してもクランプ留め金具の掛け留めが解除されることのないように構成したことを特徴とする仮設足場用ブラケット。
【発明の詳細な説明】
【０００１】
【発明の属する技術分野】
本発明は、建築物の外壁の塗装やタイル貼り等の工事を行うときに作業の邪魔にならないように足場板を取り付けたまま跳ね上げて退避させることのできるブラケットに関し、特に足場の跳ね上げ時にブラケット上に掛け渡した足場板の脱落を防止することができる仮設足場用ブラケットに関する。
【０００２】
【従来の技術】
建築物の建築工事においては、図１に示すように建築物の側近に足場枠Ａを建築物の高さに応じて何段にも積み上げて仮設足場を形成している。このとき、足場枠Ａは建築物の側近に積み上げるようにはしているものの、足場枠Ａと建築物との間に隙間が生じる場合があり、その場合には仮設足場用ブラケット１を用意し、ブラケット１の支柱材２に備えた取付け具３によって足場枠Ａの建地に取り付け、隣接するブラケット１の係止用アーム４間に足場板Ｂを掛け渡して足場枠Ａと建築物との間の隙間に墜落防止用の足場を形成している。
【０００３】
そして、建築物の外壁の塗装やタイル貼り等の工事を行うときには、ブラケット１間に掛け渡した足場板Ｂが作業の邪魔となってやりにくい場合があり、足場板Ｂを係止するブラケット１の係止用アーム４を支柱材２に対して回動できるようにしておいて作業の邪魔となる場合には足場板Ｂを掛け渡したまま係止用アーム４を跳ね上げて作業用の空間を確保するようにしている。
【０００４】
このとき、跳ね上げた足場板Ｂが係止用アーム４より離脱しないように、図１０に示すように、係止用アーム４の先端部に略コ字形状のクランプ留め金具５を係止用アーム４の軸線方向に出没自在とすると共に、係止用アーム４に没した状態とすると係止用アーム４の外周部に沿って回動自在となり、また、突出させた状態で固定される留め金具固定手段を備えて足場板Ｂのクランプを留めるようにしたものが提案されている。
【０００５】
【発明が解決しようとする課題】
しかしながら、上記従来のクランプ留め金具では、足場板を掛け留めた状態で係止用アームを跳ね上げたとき、足場板の自重がクランプ留め金具に係止用アームの軸線方向に加わり、状況によっては、クランプ留め金具が没した状態となって係止用アームの外周部に沿って回動可能となり、そこに水平力が加わるとクランプ留め金具の掛け留め状態が解除されるおそれがある。
【０００６】
本発明は上記の点に鑑み、係止用アームを跳ね上げたとき、足場板を掛け止めるクランプ留め金具の掛け留め状態が解除されることのない安全な仮設足場用ブラケットを提供することを課題とする。
【０００７】
【課題を解決するための手段】
本発明は上記の課題を解決するために、足場枠への取付け手段を備えた支柱材に足場板を係止する係止用アームを取り付けた仮設足場用ブラケットにおいて、所定長さの棒状体を略コ字形状に折曲して足場板のクランプに掛け留めるクランプ留め金具を形成し、該クランプ留め金具の一端部を前記係止用アームの遊端部の外周部に係止用アームの軸方向と直交方向へ貫設した透孔に出没自在に嵌入すると共に、バネを介装してクランプ留め金具の他端部が前記係止用アーム内に没する方向に付勢し、更に前記係止用アームの遊端部の外周部に前記クランプ留め金具の他端部を没入させる透孔を穿設し、クランプ留め金具で足場板のクランプを掛け留めた状態で係止用アームを略垂直に跳ね上げたときに、足場板の自重がクランプ留め金具に垂直方向に作用してもクランプ留め金具の掛け留めが解除されることのないように構成したことを特徴としている。
【０００８】
【発明の実施の形態】
本発明に係る仮設足場用ブラケットにあっては、クランプ留め金具により足場板のクランプを掛け留めた係止用アームを跳ね上げたとき、クランプ留め金具は水平方向には出没可能な状態となるが、垂直方向には移動しないため、足場板の自重がクランプを介してクランプ留め金具に垂直方向にかかってもクランプ留め金具のクランプに対する掛け留めが解除されることがない。
【０００９】
【実施例】
以下、本発明の実施例を図面に基づいて説明する。
【００１０】
先ず、図２〜図４に基づいて説明すると、１０は本発明のブラケットであって、所定長さの角パイプから成る支柱材１１を垂直部材とし、該支柱材１１の中間位置には足場枠への取り付け手段である取付け具１２をボルト・ナット１３により固着している。前記支柱材１１の上端部には断面略コ字形状をした所定長さの回動用部材１４をその凹部が支柱材１１に嵌り込むような形で位置させ、その上部付近にボルト１５を貫通させて回動用部材１４を回動自在に軸着している。
【００１１】
そして、回動用部材１４の下端部には足場板Ｂを係止する水平材である係止用アーム１６を回動用部材１４に対して直角に固着してあり、これによって係止用アーム１６はその固着した回動用部材１４を支柱材１１に当接して水平に保持されると共に、回動用部材１４と一体で前記ボルト１５の軸着部を中心に上方に回動させて跳ね上げできる構造としている。
【００１２】
係止用アーム１６は外管材１７に外管材１７より若干径の小さい内管材１８を挿入して出没自在とし、図５、図６に示すように、内管材１８の両側面にはその基端部より先端部側に所定距離隔たった位置から先端部側に向けてプレス加工により直線状に窪ませ、内管材１８を外管材１７より出没させるときのガイド溝１９を形成している。このように内管材１８の両側面を窪ませてガイド溝１９を形成することによって内管材１８の断面係数は加工前の元の内管材の断面係数に比べてもさほど低い値にならなくて済む。
【００１３】
一方、外管材１７の内面の所定位置には内管材１８のガイド溝１９に嵌り込む突起部２０をプレス加工によって成型している。この突起部２０のプレス成型
は内管材１８を外管材１７に装着後に行えばよい。また、外管材１７の先端下部にはナット２１を固着し、該ナット２１にはボルト２２を螺着して外管材１７を貫通させ、ボルト２２によって出没自在の内管材１８の下面を押しつけて内管材１８を任意の位置に固定するようにしている。
【００１４】
回動用部材１４の軸着部付近には、回動用部材１４を係合して固定する係合体２３と、係合体２３を引きつけるための引っ張りバネ２４とから成る係合手段を配設してある。前記係合体２３は棒状体を渦巻き状の略方形としたもので、係合体２３の上部の一辺を支柱材１１の側面に固着した管体２５に装着して回動自在に取り付けている。そして、支柱材１１に固着した軸体２６に取り付けた引っ張りバネ２４によって前記係合体２３を支柱材１１側に引っ張るように付勢している。
【００１５】
また、前記回動用部材１４の上縁部は係止用アーム１６を上方に跳ね上げたときに係合体２３の下部辺２３ａが当接しながら回動できるように略円弧状とすると共に、上縁部の中央部には係合体２３の下部辺２３ａが嵌る大きさの係合孔２７を切り欠いており、係止用アーム１６を跳ね上げて回動用部材１４を水平にしたときに前記係合孔２７に係合体２３の下部辺２３ａが嵌り込んで係止用アーム１６を跳ね上げた状態に保持できるようにしてある。
【００１６】
また、外管材１７の遊端部付近の下面には突出片２８を固着し、該突出片２８に補強材２９の一端部をボルト・ナット３０により回動自在に軸着している。この補強材２９は外管材１７が水平状態に位置したときに拘束していないその自由端部側が後述するように支柱材１１に係止されて外管材１７にかかる荷重を支える補強斜材として作用するものであり、その役目に見合った長さとしてある。
【００１７】
そして、補強材２９の自由端部側には連結材３１の一端部がボルト・ナット３２により回動自在に軸着し、その連結材３１の他端部を支柱材１１の側面に突出させた突出片３３にボルト・ナット３４により回動自在に軸着してリンク機構構造の補強用斜材を構成している。前記連結材３１は外管材１７を上方に跳ね上げたときにリンク機構を構成する補強材２９と相まってほぼ垂直状態まで回動させることができるような長さとしている。
【００１８】
また、支柱材１１には外管材１７を支持する補強材２９の拘束していない自由端部を係止する係止体３５を固着してあり、その固着位置は外管材１７を下方に回動して水平状態としたときにリンク機構を構成する補強材２９の自由端部が連結材３１に誘導されて円弧状の移動軌跡に沿って移動して最終的に位置するところの支柱材１１の側面である。
【００１９】
また、内管材１８の先端には外管材１７と外径がほぼ同一の足場板Ｂを係止するカラー体３６を嵌め入れて固着すると共に、足場板Ｂを係止したときに足場板Ｂが係止用アーム１６に沿ってずれ落ちるのを防止するためのずれ止め片３７を固着している。
【００２０】
更に、前記カラー体３６には図７に示すように、足場板Ｂを係止したときに足場板Ｂのクランプを掛け留めるクランプ留め金具３８を配設している。
【００２１】
該クランプ留め金具３８は棒状体を略コ字形状で一端部を長く、他端部を短く折曲したもので、その長い方の一端部を前記カラー体３６から内管材１８を貫通させて穿設した透孔３９に圧縮バネ４０を介装して挿入貫通させると共に、内管材１８内に介装した前記圧縮バネ４０の上端部を内管材１８の内面上部に当接させる一方、下端部をクランプ留め金具３８に挿入した押圧ピン４１により受け止めてクランプ留め金具３８が前記透孔３９に対して出没自在とすると共に、クランプ留め金具３８の短い方の端部がカラー体３６の内側に没する方向にクランプ留め金具３８を付勢する。また、カラー体３６には前記クランプ留め金具３８の長い方の一端部が出没するのに伴って、短い方の他端部を出没させる透孔４２を穿設する。
【００２２】
次に、上記の構造を有するブラケットの使用方法を図７〜図９に基づいて説明する。
【００２３】
先ず、図９（ａ）のように、仮設足場の足場枠Ａにブラケット１０を取付け具１２を介して取り付け、内管材１８を収納する外管材１７を自重により回動用部材１４と一体として軸着部であるボルト１５を中心に下方へ回動させると、断面略コ字形状の回動用部材１４が支柱材１１に当接して係止用アーム１６を水平状態に保持する。このとき、外管材１７に軸着した補強材２９の拘束されない自由端部は連結材３１に誘導されて支柱材１１に配設した係止体３５に係止される。この補強材２９の自由端部は連結材３１に規制されて位置ずれすることなく外管材１７を下方より支持する補強用斜材として作用する。
【００２４】
次に、仮設足場の足場枠Ａに取り付けた隣接するブラケット１０間に足場板Ｂを掛け渡すのであるが、足場枠Ａと建築物の壁との間が広い場合には係止用アーム１６を構成する外管材１７の先端下部のボルト２２を緩めて外管材１７より内管材１８を引き出す。
【００２５】
内管材１８の両側面にはガイド溝１９を形成してあり、更に外管材１７の内周面には前記ガイド溝１９に嵌り込む突起部２０を突設しているので、内管材１８は突起部２０に規制されて回転することなく引き出され、また、ガイド溝１９は内管材１８の基端部より先端部側に所定距離隔てて形成しているので、内管材１８の引き出し時にはガイド溝１９の終端部で停止して抜け落ちることがない。
【００２６】
このように、内管材１８を引き出した後にボルト２２をねじ込んで内管材１８を押しつけて固定し、足場板Ｂを内管材１８と外管材１７に渡って掛け渡して足場を形成するのである。
【００２７】
また、建築物の外壁の塗装やタイル貼り等の工事を行うときには、ブラケット１０により支持した足場板Ｂが邪魔になるので、図９（ｂ）、（ｃ）に示すように足場板Ｂを取り付けたまま係止用アーム１６を上方に向けて跳ね上げる。
【００２８】
このとき、外管材１７を一体的に固着した回動用部材１４が軸着部のボルト１５を中心に上方に回動し、それに伴って図９（ｂ）に示すように回動用部材１４の上縁部が係合体２３の下部辺２３ａを押し除けるように回転し、図９（ｃ）のように回動用部材１４が水平状態になると上縁部の係合孔２７が係合体２３の下部辺２３ａに嵌り込んで固定される。
【００２９】
また、ブラケット１０から足場板Ｂが脱落しないようにクランプ留め金具３８で固定しておくのであるが、このクランプ留め金具３８の操作方法は、先ず、足場板Ｂを係止用アーム１６に係止するときには、図８の仮想線で示すようにクランプ留め金具３８を圧縮バネ４０に抗して上方に引き上げた後に足場板Ｂの係止の邪魔にならない位置まで回動させておく。
【００３０】
そして、ブラケット１０に足場板Ｂを掛け渡せばクランプ留め金具３８を再びもとの位置に回動し、クランプ留め金具３８の先端部をカラー体３６に穿設した透孔４２に嵌め入れて掛け留めを完了する。このように、クランプ留め金具３８を足場板Ｂのクランプに掛け留めしておけばブラケット１０を跳ね上げたとき足場板Ｂの自重がクランプ留め金具３８に垂直方向に作用してもクランプ留め金具３８は垂直方向に移動せず掛け留めが解除されることがなく、跳ね上げた足場板Ｂが脱落することがない。
【００３１】
【発明の効果】
以上のように本発明の仮設足場用ブラケットにあっては、所定長さの棒状体を略コ字形状に折曲したクランプ留め金具の一端部を前記係止用アームの遊端部の外周部に穿設した透孔に出没自在に嵌入すると共に、バネを介装してクランプ留め金具の他端部が前記係止用アーム内に没する方向に付勢し、更に前記係止用アームの遊端部の外周部に前記クランプ留め金具の他端部を没入させる透孔を穿設したので、係止用アームを跳ね上げたとき、足場板の自重がクランプ留め金具に垂直方向にかかってもクランプ留め金具が容易に解除されないので、係止用アームに掛け渡した足場板が脱落するおそれがなくなる。
【図面の簡単な説明】
【図１】  従来のブラケットの使用状況を示す説明図である。
【図２】  本発明に係る仮設足場用ブラケットの一実施例を示す正面図である。
【図３】  図１の側面図である。
【図４】  図１の平面図である。
【図５】  図１のＣ−Ｃ線拡大断面図である。
【図６】  外管材先端部の切り欠き部分断面図である。
【図７】  内管材先端部の切り欠き部分断面図である。
【図８】  係止用アーム先端のクランプ留め金具の動作を説明する図である。
【図９】  ブラケットの動作を説明する図である。
【図１０】  従来のブラケットの図７に相当する部分断面図である。
【符号の説明】
１０…ブラケット                    １１…支柱材
１２…取付け金具                    １４…回動用部材
１５…ボルト                        １６…係止用アーム
１７…外管材                        １８…内管材
１９…ガイド溝                      ２０…突起部
２３…係合体                        ２４…引っ張りバネ
２７…係合孔                        ２９…補強材
３１…連結材                        ３５…係止体
３６…カラー体                      ３８…クランプ留め金具
３９…透孔                          ４０…圧縮バネ
４１…押圧ピン                      ４２…透孔
【図１】
0004022317.tif 000002
【図２】
0004022317.tif 000003
【図３】
0004022317.tif 000004
【図４】
0004022317.tif 000005
【図５】
0004022317.tif 000006
【図６】
0004022317.tif 000007
【図７】
0004022317.tif 000008
【図８】
0004022317.tif 000009
【図９】
0004022317.tif 000010
【図１０】
0004022317.tif 000011